(57)【要約】【課題】従来の串等の下記欠点を改善すること。１）  既存の串の材料は、竹・木製の物が多く漂白剤を使用して白っぽくする物が有り健康被害も考えられる。２）  既存の串は、使い捨てが非常に多く環境的にも経済的にも不合理であり使い捨てが当然と言う風潮が定着している。３）  強度不足の物も有り、物を刺し込んでいる時折れて怪我をしてしまう事も有り危なく不便。【解決手段】上記（１）に対して無害な素材を用い形成し且つ使用前後では、食器用洗剤での洗浄可能とし、また煮沸消毒が可能である。上記（２）に対して耐久性が有れば再利用が可能で、高級感を出す事によって使い捨てでないと言う意識を植え付ける、また洗浄及び消毒が何度でも簡単に出来る為、持続して環境保護の一旦を担うことが出来る。上記（３）に対して強度・バネ性の機械特性の安全性や人体に対しての安全な材料が多く市販され将来的にも安定的な入手可能な素材を使用。【選択図】図１
2020151444.tif 000002
【特許請求の範囲】
【請求項１】
本発明品は、物を刺す時に手で持つ持ち手部位と他方に二股（使用目的に応じて複数股も有り）に分かれている先端部位（物を刺す部分）との二つの部位で構成されているが一体形成とし該二股部位の側面や裏表面に使用目的に応じた滑り止め（抜け止め）防止を配する事を特徴とする  串。
【請求項２】
請求項１の串は、使用目的に応じて抜け止め（凹凸）を配するが前記抜け止めは、物を刺し始める先端部と持ち手近くとは向いている方向（返しの方向）を変えまた表裏の判別が出来る事を特徴とする前記  串。
【請求項３】
請求項２の前記抜け止めは相対する事無く交互に配する事を特徴とする請求項１の串。
【請求項４】
請求項１の串の物を刺す部位は平状に近い凹凸の滑り止め兼接地面積を減らす形状に表裏を形成するが前記突起が有る無しを問わず折れ曲げたり波打つように曲げたりまた捩じったりなど該平ら状の部位、全ての面もしくは一部の面、更には一部分のみに該突起（滑り止め機能を備えた）を有する事も可能とする事を特徴とする前記  串。
【請求項５】
請求項１の前記刺し始める部位の長さ方向の長さを不揃いにして物を刺し始める時、前記二股の場合い順番に刺さる（タイミングをずらす）事を特徴とする（使用目的に応じては同じ長さも有り）串。
【請求項６】
請求項５の前記刺し始める部位の先端尖がっている部分は請求項１の串二股串の場合、両外側と両内側の斜面部分の長さや尖がりの中心軸をずらし両串の先端部位が物を刺した時に外側に広がらない様に使用目的に合わせて形状を変えた種類おも準備する事を特徴とする  請求項１の串。
【発明の詳細な説明】
【技術分野】
【０００１】本発明は、文献等には無く手軽に確実に使用可能状態とする為に考案した技術に関する。
【背景技術】
【０００２】既存の串は使い捨てなのでこれを再使用可能状態の仕様とし資源・環境保全に寄与する為のもの。
【特許文献１】無し
【発明の開示】
【発明が解決しようとする課題】
【０００３】本発明は、既存の串の以下の欠点を解決しようとするものである。
１）  耐久性能  ‥‥  既存の串は強度・火・水に弱く再利用困難。
２）衛生健康面  ‥‥  既存の串は洗浄すると耐久性が非常に低くなり洗剤等が沁み込ん                      でしまう可能性が高く、また漂白されている物も多く体に害が無                      いとは言いきれない。
３）  安全性    ‥‥  既存の串は少数では有るが折れ怪我をしてしまう物も有る、また                      串の種類によっては滑り易く簡単に抜け落ちてしまう。
【課題を解決する為の手段】
【０００４】上記課題に対して、それぞれ以下の手段で解決する。
【０００５】      １）  耐久性能  ‥‥  本発明では、串自体の素材は強度・バネ性に優れている物                            を使用（チタンやチタン合金）する。
【０００６】      ２）衛生健康面  ‥‥  本発明では、チタンやチタン合金（代替人骨などでも使用                            している材料で有り無害）洗剤洗浄及び洗浄機による洗浄                            又、煮沸消毒による殺菌も可能で酸化膜を張る事によって                            光触媒効果が有る。
【０００７】      ３）  安全性    ‥‥  使用する材料は、チタンやチタン合金で、熱伝導が悪く通                            常の使用では串自体にそこまでの温度上昇は考えられない                            また硬くも柔らかくも成らない（通常の使用での温度帯域                            が異なる為バネ性を保つ）ので折れ曲がる・分離、分断は                            、無い。
【図面の簡単な説明】
【０００８】
【図１】二股串の表面及び側面から見た図。
【図２】串の部位を説明の為拡大した先端表面返し方向を示す図。
【図３】串の部位を説明の為拡大した後方表面返し方向を示す図。
【図４】串の側面凹凸抜け止めを示した図。
【図５】刺す部位が一本しかない梨地と凹凸の模様を配した串の図と側面図。
【図６】図１の先端の長さが同寸で串先が三股の串の図と側面図。
【図７】先端の数が四股に分かれていて先端長同寸の串図と側面図。
【図８】先端の数が三股に分かれていて先端長さ不揃いの串図と側面図。
【図９】先端の数が四股に分かれていて先端長さ不揃いの串図と側面図。
【発明の効果】
【０００９】使い捨てになら無い為（再利用可）資源の節約及び環境保護に優れ更に人骨にも使用されるチタンやチタン合金を材料とし串自体が無害で煮沸消毒も簡単に出来る。
【００１０】折れたり曲がったりしないので作業中に怪我をする心配が無い。
【発明を実施するための形態】
図１〜図４を用いて本発明の形態について説明する。
【００１１】（物を刺す時）図２符号ａ−ａ’の部位から物を刺し込む際、図１符号ｉの部位を片方の手で持ち他方の手で物を持ち図１符号ａ−ａ’から差し込むが尖っているので刺さり易い然し抜け易い、そこで図２符号ｄの滑り止めの突起１（図２符号ｅ（返し１））を図２の様に串先端とは逆向きに配し抜け難くする。
【００１２】（物を抜く時）図３符号ｆは串の先端向きに配し物を抜き取る際抜け易くするが余りにも抜け易いと困るので突起は配するが少し力が加わっ時のみ抜けるよう突起の向きを図２符号ｄの逆向きになるよう図３符号ｂ（滑り止め突起２）に配された図３符号ｆ（突起返し２）にする。
【００１３】（動き易くする）図４符合ｃ及び図１符号ｍの形状（表裏面）は凹凸の突起では有るが抜け止め兼接地面積を減らす目的も兼ね備えた部位で縮んだ物を抜き際図２符号ｄ及びｂの突起が交互に配されているので左右に回動しながら抜けようとする時、摩擦抵抗を減らしより少しの力でも左右に回動しながら抜けるようにする。
【００１４】（物をより刺し易くする）図２符号ａ−ａ’の串（二股の例）先端部位の長さを不揃にすることで串の先端から刺る品物が時間差で刺さるので（１本づつ刺さる）（時間差が出る）串先の先端部の本数が多くなっても容易に差し込む事が出来る、また複数本の場合刺す時に広がろうとする為、作業者に刺さる恐れが有り使い勝手の面から安心して使用出来るよう（図２符号ｇ−ｇ’）外側斜面先端と内側斜面の長を異なるようにしたり、中心軸をずらしたりして物を刺した時に外側に広がらない様にする。
【符号の説明】
【００１５】ａ−ａ’串先端（物を刺し始める部分）の長さが異なる（同寸の仕様有り）
ｂ      抜け止め突起２
ｃ      表裏に配されている突起（滑り止め兼接地面積を減らす凹凸）側面図
ｄ      抜け止め突起１
ｅ      返し１（引っ掛かる部分の向き１）
ｆ      返し２（引っ掛かる部分の向き２）（突起１とは逆方向に返しが有る為突起２の返し）
ｇ−ｇ’串先端の外側ｇと内側ｇ’の斜面の長さが異り中心軸をずらした部分。
ｈ      物を刺し始める先端部
ｉ      串に物を刺す時に串を手で持つ部位
ｊ      二股串の図
ｋ      表裏を見分ける部位（滑り止め突起無し）
ｌ      表裏を見分ける部位（滑り止め突起有り）
ｍ      表裏に配されている突起（滑り止め兼接地面積を減らす凹凸）上面図
【図１】
2020151444.tif 000003
【図２】
2020151444.tif 000004
【図３】
2020151444.tif 000005
【図４】
2020151444.tif 000006
【図５】
2020151444.tif 000007
【図６】
2020151444.tif 000008
【図７】
2020151444.tif 000009
【図８】
2020151444.tif 000010
【図９】
2020151444.tif 000011